(57)【要約】  【課題】  側部の美観を安価に向上させることができ、しかもサイドカバーの取り付けが容易であるベースキャビネット及びサイドカバーを提供する。  【解決手段】  前板４１の背面と蹴込み板４２の背面とを側面視変形Ｚ字状の金属製の連結部材３で連結してなる連結体の側部に、連結部材３とは別体の側面視倒立Ｌ字状の合成樹脂製のサイドカバー２を、雄部２２０，２３０，２３０と雌部４２０，３３０，３３０との嵌合によって取り付ける。サイドカバー２は蹴込み板４２の側端面、前板４１の下端部背面と蹴込み板４２の上端部前面との間の空隙の側部等を被覆し、また、連結体の側部にビスは存在しない。【選択図】      図４
2006296847.tif 000002
【特許請求の範囲】
【請求項１】
正面視矩形状の前板及び蹴込み板を、前記前板の下端部背面と前記蹴込み板の上端部前面とが対向するように配して、連結部材で前後方向に連結してある引出しを備えるベースキャビネットにおいて、
前記蹴込み板及び／又は連結部材に雌部（又は雄部）が形成してあり、
縦板部及び横板部を有して側面視倒立Ｌ字状をなし、前記雌部（又は雄部）と嵌合する雄部（又は雌部）が形成してあり、前記縦板部が前記蹴込み板の側端面を被覆し、前記横板部が前記下端部背面と前記上端部前面との間の空隙の側部を被覆するサイドカバーを備えることを特徴とするベースキャビネット。
【請求項２】
前記連結部材は、前記前板の背面に取り付けられた第１取付板部と、前記蹴込み板の背面に取り付けられた第２取付板部と、前記第１取付板部及び前記第２取付板部夫々に略直交して、前記第１取付板部の下端部及び前記第２取付板部の上端部を連結し、前記前板の背面と前記蹴込み板の前面との間の空隙の上部を被覆する被覆板部とを有し、
該被覆板部及び前記蹴込み板の背面夫々に、前記サイドカバーの雄部（又は雌部）と嵌合する雌部（又は雄部）が形成してあり、
前記サイドカバーは、前記連結部材及び前記蹴込み板に取り付けるべく、前記縦板部及び前記横板部夫々のＬ字の外縁から前記縦板部及び前記横板部に略直交して同一方向へ突出する取付板部が形成してあり、該取付板部の内面に、前記雄部（又は雌部）が形成してあることを特徴とする請求項１に記載のベースキャビネット。
【請求項３】
前記第１取付板部を、前記前板の背面の少なくとも横方向両端部夫々及び横方向中央部にビス留めしてあることを特徴とする請求項２に記載のベースキャビネット。
【請求項４】
前記連結部材は金属を用いてなり、前記サイドカバーは合成樹脂を用いてなることを特徴とする請求項１乃至３の何れか一項に記載のベースキャビネット。
【請求項５】
Ｌ字状のサイドカバーであって、
Ｌ字の外縁から突出する取付板部が形成してあり、
該取付板部の内面に、他物の一部と嵌合する嵌合部が形成してあることを特徴とするサイドカバー。
【発明の詳細な説明】
【技術分野】
【０００１】
本発明は、蹴込み部を有する引出しを備えるベースキャビネット及びサイドカバーに関する。
【背景技術】
【０００２】
厨房に設置されるシンクキャビネット又はガスキャビネットは、シンク又はガスレンジが設けてある天板の下側に、この天板を支持するベースキャビネットを備える。ベースキャビネットは、木製の底板、背板及び左右の側板を備える直方体状であり、上部に天板を載置固定し、更に、正面から出し入れする引出しを備える。従来、ベースキャビネット最下部には、最下段の引出しの前板よりも奥側に凹んだ蹴込み部が設けてあり、蹴込み部の高さの分だけデッドスペースが生じていた。近年、このデッドスペースを収納スペースとして有効利用するために、蹴込み部を有する引出しが最下段の引出しとしてベースキャビネットに備えられている。
【０００３】
図５は、従来のベースキャビネットが備える引出しの前板４１及び蹴込み板４２の連結体の構成を示す背面側からの斜視図であり、図中左上側が手前側、右下側が奥側である。蹴込み部を有する引出しは、合板、パーティクルボード、ファイバーボード等の木質ボードを用いてなる箱状であり、引出しの前面に配された前板４１及び蹴込み板４２と、蹴込み板４２に取り付けられた２枚の側板４３，４３及び底板４４と、この側板４３，４３及び底板４４に取り付けられた図示しない背板とが、引出しの収納スペースを形成している。
【０００４】
前板４１及び蹴込み板４２は夫々正面視矩形平板状であり、前板４１の下端部（下端末近傍）の背面と蹴込み板４２の上端部（上端末近傍）の前面とが対向するよう互いに略平行に配されており、このために、引出しの前部に蹴込み部が形成されている。
【０００５】
従来、前板４１及び蹴込み板４２は、前板４１の背面と蹴込み板４２の側端面とを、前板４１及び蹴込み板４２の横方向両端部（両端末近傍）に夫々配された連結部材５１，５１で連結されていた（非特許文献１参照）。
【０００６】
各連結部材５１は金属製であり、前後方向に細長い平面視矩形平板状の基部５１３と、基部５１３の長手方向の一端部から基部５１３に略直交して立ち上がる正面視矩形平板状の第１取付板５１１と、基部５１３の幅方向の一端部から基部５１３に略直交して垂下する側面視倒立Ｌ字平板状の第２取付板５１２とを有する。更に詳細には、基部５１３は、第１取付板５１１の幅に略等しい幅と、前板４１の背面から蹴込み板４２の背面までの長さに等しい長さとを有する。また、第２取付板５１２は、蹴込み板４２の厚さ及び高さに略等しい前後方向長さ及び高さを有する上下方向に細長い矩形平板状の縦板部５１２ａと、縦板部５１２ａの略同一平面上に連続して、縦板部５１２ａの前後方向長さ及び前板４１の背面から蹴込み板４２の前面までの長さに略等しい高さ及び前後方向長さを有する前後方向に細長い矩形平板状の横板部５１２ｂとを有する。
【０００７】
第１取付板５１１は、第１取付板５１１に形成された横方向取り付け位置を調整するための長孔５１ａを通してビス５３１で前板４１の背面にビス留めされている。また、第２取付板５１２は、縦板部５１２ａがビス５３２，５３２で蹴込み板４２の側端面にビス留めされている。基部５１３は、前板４１の背面と蹴込み板４２の前面との間の空隙の上部、更に詳細には、前板４１の下端部背面と蹴込み板４２の上端部前面との間の空隙の上部を被覆して、第１取付板５１１の下端部及び第２取付板５１２の上端部を連結している。
【０００８】
第２取付板５１２は、縦板部５１２ａで蹴込み板４２の側端面を被覆し、横板部５１２ｂで前記下端部背面と前記上端部前面との間の空隙の側部を被覆する。このため、連結部材５１はサイドカバーとしての機能も有し、前板４１及び蹴込み板４２の連結体の側部の美観を向上させている。
【０００９】
前板４１及び蹴込み板４２の横方向中央部には、前板４１の下端部背面と蹴込み板４２の上端部前面との間の空隙の上部を被覆する金属製のカバー５０が配されている。カバー５０は側面視コ字状の板状であり、側面視の中央の面５０ａが前記空隙の上部を覆い、側面視の一端側の面５０ｂが蹴込み板４２の背面にビス５３３，５３３でビス留めされ、側面視の他端側の面５０ｃが前板４１の背面に接触している。カバー５０は前板４１には取り付けられておらず、このため、連結部材としての機能を有していない。
【００１０】
以上のような前板４１及び蹴込み板４２の連結体においては、前板４１及び蹴込み板４２の横方向両端部夫々が連結部材５１，５１で連結されており、横方向中央部は連結されていないため、例えば連結部材５１，５１をビス留めした場合に前板４１に反りが生じることがあり、前板４１の背面とカバー５０との間に空隙が生じるという問題があった。
【００１１】
また、一般に、板部材の平面にビス留めする場合のビス保持力よりも、端面にビス留めする場合のビス保持力の方が弱いため、両側端面に連結部材５１，５１がビス留めされる蹴込み板４２の材料として、ビス保持力が強い合板を用いる必要があり、蹴込み板４２の材料が限定されるという問題があった。
【００１２】
図６は、従来のベースキャビネットが備える引出しの前板４１及び蹴込み板４２の連結体の他の構成を示す背面側からの斜視図であり、図中左上側が手前側、右下側が奥側である。上述の問題を解決するために、従来、図６に示すように、前板４１の背面と蹴込み板４２の背面とを、側面視変形Ｚ字状の連結部材５２で連結することが提案されている（特許文献１〜３参照）。
【００１３】
連結部材５２は金属製であり、平面視矩形平板状の基部５２３の前後方向前端部から基部５２３に略直交する正面視矩形平板状の第１取付板５２１が立ち上がり、後端部から基部５２３に略直交する正面視矩形平板状の第２取付板５２２が垂下している。第１取付板５２１は、前板４１の幅に略等しい幅を有し、前板４１の背面の横方向両端部夫々及び中央部にビス５４１，５４１，５４３でビス留めされ、第２取付板５２２は、蹴込み板４２の幅より適宜短い幅を有し、横方向両端部夫々及び中央部が、蹴込み板４２の背面にビス５４２，５４２，５４２でビス留めされている。ここで、第１取付板５２１は、第１取付板５２１に形成された横方向取り付け位置を調整するための長孔５２ａ，５２ａを通してビス５４１，５４１でビス留めされている。
【００１４】
また、基部５２３は、第１取付板５２１の幅に等しい幅と、前板４１の背面から蹴込み板４２の背面までの長さに等しい長さとを有し、第１取付板５２１の下端部及び第２取付板５２２の上端部を連結している。このような基部５２３は前板４１の下端部背面と蹴込み板４２の上端部前面との間の空隙の上部を被覆するカバーとしての機能も有する。
【００１５】
以上のような前板４１及び蹴込み板４２の連結体においては、連結部材５２が前板４１の背面の横方向両端部夫々及び中央部にビス留めされているため、横方向中央部のビス５４３の締め付け具合を調整することによって、前板４１に反りが生じることを抑制することができる。
【００１６】
また、蹴込み板４２の側端面にビス留めする必要がないため、蹴込み板４２の材料が合板に限定されない。
【非特許文献１】“フロアラックプラン”、［online］、［平成１７年４月１１日検索］、インターネット＜ＵＲＬ：http://www.eidai.com/product/html/kitchen/diagnosis/kitchen checkup/popup/1 1.html＞
【特許文献１】特開２００１−８７０５９号公報
【特許文献２】特開２００１−２９２８４３号公報
【特許文献３】特許第３３７１１００号公報
【発明の開示】
【発明が解決しようとする課題】
【００１７】
しかしながら、連結部材５２はサイドカバーとしての機能を有しておらず、特許文献１〜３には、このような連結部材５２を用いる場合に適切なサイドカバーが開示されていない。このため、サイドカバーとしての機能も有する連結部材５１を連結部材５２と共に用いることが考えられるが、前板４１及び蹴込み板４２は連結部材５２によって確実に連結されているため、金属製の連結部材５１で更に連結することによって、連結性能が過剰となり、また、必要なビスの個数の増加、ビス留めの工数の増加等が生じて、材料費が増大し、作業性が悪化する。
【００１８】
更に、連結部材５１は、蹴込み板４２の側端面にビス留めされるため、側方からビス５３２，５３２が見えて美観を損ねるという問題があった。
【００１９】
本発明は斯かる事情に鑑みてなされたものであり、前板と蹴込み板とを連結部材で連結し、該連結部材とは別体のサイドカバーを蹴込み板及び／又は連結部材に雄部と雌部との嵌合によって取り付ける構成とすることにより、側部の美観を安価に向上させることができ、しかもサイドカバーの取り付けが容易であるベースキャビネット及びサイドカバーを提供することを目的とする。
【００２０】
本発明の他の目的は、前板の背面と蹴込み板の背面とを連結部材で連結し、サイドカバーを蹴込み板の背面及び連結部材の被覆板部に雄部と雌部との嵌合によって取り付ける構成とすることにより、側部、上部及び前部の美観を向上させることができ、しかも蹴込み板の材料が限定されないベースキャビネットを提供することにある。
【００２１】
本発明の他の目的は、連結部材を、前板の横方向両端部夫々及び横方向中央部にビス留めする構成とすることにより、前板に反りが生じることを抑制することができるベースキャビネットを提供することにある。
【００２２】
本発明の更に他の目的は、金属製の連結部材と合成樹脂製のサイドカバーとを備えることにより、連結部材によって充分な連結性能を得て、しかも安価なサイドカバーを用いることができるベースキャビネットを提供することにある。
【課題を解決するための手段】
【００２３】
第１発明に係るベースキャビネットは、正面視矩形状の前板及び蹴込み板を、前記前板の下端部背面と前記蹴込み板の上端部前面とが対向するように配して、連結部材で前後方向に連結してある引出しを備えるベースキャビネットにおいて、前記蹴込み板及び／又は連結部材に雌部（又は雄部）が形成してあり、縦板部及び横板部を有して側面視倒立Ｌ字状をなし、前記雌部（又は雄部）と嵌合する雄部（又は雌部）が形成してあり、前記縦板部が前記蹴込み板の側端面を被覆し、前記横板部が前記下端部背面と前記上端部前面との間の空隙の側部を被覆するサイドカバーを備えることを特徴とする。
【００２４】
第２発明に係るベースキャビネットは、前記連結部材は、前記前板の背面に取り付けられた第１取付板部と、前記蹴込み板の背面に取り付けられた第２取付板部と、前記第１取付板部及び前記第２取付板部夫々に略直交して、前記第１取付板部の下端部及び前記第２取付板部の上端部を連結し、前記前板の背面と前記蹴込み板の前面との間の空隙の上部を被覆する被覆板部とを有し、該被覆板部及び前記蹴込み板の背面夫々に、前記サイドカバーの雄部（又は雌部）と嵌合する雌部（又は雄部）が形成してあり、前記サイドカバーは、前記連結部材及び前記蹴込み板に取り付けるべく、前記縦板部及び前記横板部夫々のＬ字の外縁から前記縦板部及び前記横板部に略直交して同一方向へ突出する取付板部が形成してあり、該取付板部の内面に、前記雄部（又は雌部）が形成してあることを特徴とする。
【００２５】
第３発明に係るベースキャビネットは、前記第１取付板部を、前記前板の背面の少なくとも横方向両端部夫々及び横方向中央部にビス留めしてあることを特徴とする。
【００２６】
第４発明に係るベースキャビネットは、前記連結部材は金属を用いてなり、前記サイドカバーは合成樹脂を用いてなることを特徴とする。
【００２７】
第５発明に係るサイドカバーは、Ｌ字状のサイドカバーであって、Ｌ字の外縁から突出する取付板部が形成してあり、該取付板部の内面に、他物の一部と嵌合する嵌合部が形成してあることを特徴とする。
【発明の効果】
【００２８】
第１発明のベースキャビネットによれば、前板及び蹴込み板は、互いに略平行になるよう前板を手前上側に、蹴込み板を奥下側に、前板の下端部背面と蹴込み板の上端部前面とが対向するように配して、前板及び蹴込み板を連結部材で前後方向に連結し、更に、連結部材とは別体であり、蹴込み板及び／又は連結部材に取り付けられるサイドカバーを用いる。
【００２９】
このために、例えば、平板状の基部の一端部から立ち上がる第１取付部と他端部から垂下する第２取付部とを有する側面視変形Ｚ字状の連結部材を用い、前板及び蹴込み板夫々の背面に、連結部材の第１取付部及び第２取付部夫々を取り付けることによって、前板と蹴込み板とが、前板及び蹴込み板の公知の連結体のようにして確実に連結される。ここで、連結部材で連結されただけの前板及び蹴込み板は、蹴込み板の側端面が露出しており、また、前板の下端部背面と蹴込み板の上端部前面との間の空隙が露出している。
【００３０】
本発明においては、サイドカバーの縦板部及び横板部夫々を上下方向及び前後方向にして側面視倒立Ｌ字状に配し、縦板部で蹴込み板の側端面を被覆し、横板部で前記空隙の側部を被覆する。このため、ベースキャビネットの側部の美観を向上させることができる。このサイドカバーは、サイドカバーに形成してある雄部（又は雌部）と、蹴込み板及び／又は連結部材に形成してある雌部（又は雄部）とを嵌合させることによって前板及び蹴込み板の連結体に取り付けられるため、ビス留めに比べて取り付け作業が簡単であり、ビス留めの工数が低減されて、作業性が向上する。しかもビスを準備する必要がないためサイドカバーを安価に取り付けることができる。
【００３１】
また、サイドカバーはビス留めされないため、ベースキャビネットの側部にビスが存在しない。この結果、側部の美観を更に向上させることができる。なお、前板の背面及び蹴込み板の側端面にビス留めされる連結部材で前板及び蹴込み板を連結する場合でも、連結部材での連結後にサイドカバーを取り付けることによって、サイドカバーが蹴込み板の側端面にビス留めされたビスを隠すことができるため、側部の美観を更に向上させることができる。
【００３２】
更にまた、前板及び蹴込み板は、連結部材によって確実に連結されるため、サイドカバーで前板と蹴込み板とを連結する必要はなく、サイドカバーは前板には取り付けられない。このようなサイドカバーは、前板と蹴込み板とを連結するために必要な強度を有する必要がなく、例えば軽量な薄板で形成することができ、重量、材料費等を低減することができる。更にサイドカバーは、前板と蹴込み板との連結を維持するためにビス留めで強固に取り付けておく必要がないため、雄部及び雌部の嵌合によって簡易に取り付けることができる。
【００３３】
また、第１発明のベースキャビネット及び第５発明のサイドカバーによれば、サイドカバーに形成してある嵌合部、具体的には雄部（又は雌部）は、Ｌ字の外縁から突出する取付板部の内面に形成してあるため、サイドカバーの雄部（又は雌部）は、例えば蹴込み板の背面及び／又は連結部材の上面に形成してある雌部（又は雄部）と嵌合する。つまり、サイドカバーと蹴込み板又は連結部材との結合部分はユーザの目に触れ難い上部又は後部に配されるため、ユーザの目に触れ易い前部及び側部の美観を向上させることができる。
【００３４】
更に、サイドカバーの雄部（又は雌部）は、サイドカバーの取付板部の内面に形成してあるため、ユーザの目に触れるサイドカバーの取付板部の外面に雄部（又は雌部）が露出することを防止でき、サイドカバーの美観を向上させることができる。
【００３５】
第２発明のベースキャビネットによれば、サイドカバーに形成してある雄部（又は雌部）と、蹴込み板の背面及び連結部材の被覆板部に形成してある雌部（又は雄部）とを嵌合させる。つまり、サイドカバーと蹴込み板又は連結部材との結合部分はユーザの目に触れ難い上部及び後部に配されているため、ユーザの目に触れ易い前部及び側部の美観を向上させることができる。
【００３６】
また、サイドカバーの雄部（又は雌部）は、サイドカバーの取付板部の内面に形成してあるため、縦板部の取付板部が蹴込み板の背面に対して後方から覆い被さるように、また、横板部の取付板部が連結部材の被覆板部に対して上方から覆い被さるように、夫々雄部と雌部とが嵌合する。このため、例えば蹴込み板の背面及び連結部材の被覆板部夫々に雌部を形成し、サイドカバーに雄部を形成することによって、ユーザの目に触れるサイドカバーの取付板部の外面に雄部（又は雌部）が露出することを防止でき、上部及び側部の美観を向上させることができる。
【００３７】
連結部材は、被覆板部の前端部から第１取付板部が立ち上がり、後端部から第２取付板部から垂下するような形状をしており、第１取付板部の前面及び第２取付板部の前面夫々が、前板の背面及び蹴込み板の背面夫々の背面に接触してビス留めされる。この場合、被覆板部は、前板の背面と蹴込み板の前面との間の空隙の上部、及び蹴込み板上端面を被覆するため、上部の美観を更に向上させることができる。
【００３８】
更にまた、連結部材及びサイドカバーが、蹴込み板の側端面にビス留めされないため、蹴込み板のビス保持力を向上させるために特定の板材を用いる必要がなく、蹴込み板の材料が限定されない。
【００３９】
第３発明のベースキャビネットによれば、連結部材の第１取付板部が前板の横方向両端部夫々と横方向中央部とにビス留めされているため、横方向中央部のビスの締め付け具合を調整することによって、前板に反りが生じることを防止することができる。
【００４０】
第４発明のベースキャビネットによれば、金属製の連結部材が、前板と蹴込み板とを連結するために必要な強度を有することができる。また、連結部材の形状は、被覆板部の前端部から第１取付板部が立ち上がり、後端部から第２取付板部が垂下するような単純な側面視変形Ｚ字状であるため、例えば１枚の金属平板を折り曲げて容易に形成することができる。
【００４１】
一方、合成樹脂製のサイドカバーは、前板と蹴込み板とを連結するために必要な強度を有していないが、サイドカバーは前板と蹴込み板とを連結しないため、合成樹脂を用いてサイドカバーを形成しても、例えばサイドカバー、又は前板と蹴込み板との連結部分が破損することはない。また、このようなサイドカバーは軽量であり、また、合成樹脂を用いて容易に一体成型することができ、同形状のサイドカバーを例えば金属を用いて形成する場合よりも安価に形成することができる。
【発明を実施するための最良の形態】
【００４２】
以下、本発明を、その実施の形態を示す図面に基づいて詳述する。
【００４３】
図１は、本発明に係るベースキャビネット１の構成を示す正面側からの斜視図である。また、図中二点鎖線はベースキャビネット１が備える引出し４を手前側へ引き出した状態を示している。
【００４４】
ベースキャビネット１は、正面上側に両開きの扉１１，１１が設けられ、正面下側に、正面から出し入れする引出し４，４を左右に並置して備え、更に、背板１２、左右の側板１３，１３及び図示しない底板を備える横長の直方体状である。ベースキャビネット１は、例えば上部にガスレンジが設けてある図示しない天板が載置固定されて、ガスキャビネットのベースキャビネットとして用いられる。
【００４５】
各引出し４は、例えばパーティクルボードを用いてなる箱状であり、前板４１及び蹴込み板４２と、蹴込み板４２に取り付けられた２枚の側板４３，４３及び底板４４と、側板４３，４３及び底板４４に取り付けられた図示しない背板とで収納スペースを形成している。前板４１及び蹴込み板４２は夫々正面視矩形状であり、互いに幅（横方向の長さ）が略等しく、前板４１を手前上側に、蹴込み板４２を奥下側にして、前板４１の下端部背面と蹴込み板４２の上端部前面とが対向するよう互いに略平行に配してある。このように配された前板４１及び蹴込み板４２は連結部材３で前後方向に連結されて連結体４０を形成しており、このため、引出し４は前下部に蹴込み部を有する。更に引出し４は、連結体４０の側部を覆うサイドカバー２，２を備える。サイドカバー２，２は、連結部材３とは別体である。
【００４６】
次に、前板４１及び蹴込み板４２の連結体４０の詳細を説明する。図２は、連結体４０の構成を示す背面側からの斜視図であり、図中左上側が手前側、右下側が奥側である。ただし、図２において、サイドカバー２は、正面視右側（図中左下側）のみが取り付けられており、正面視左側（図中右上側）にはまだ取り付けられていない状態を示している。
【００４７】
蹴込み板４２背面の横方向両端部上側夫々には、蹴込み板４２と側板４３，４３とを連結するための図示しない連結金具と嵌合する嵌合部４２１，４２１，…が２個ずつ上下方向に並置して形成してある。また、横方向両端部下側には、後述する雄部２２０と嵌合する雌部４２０，４２０が１個ずつ形成してある。
【００４８】
連結部材３は、前板４１背面及び蹴込み板４２背面に取り付けられる正面視略矩形状の第１取付板部３１及び第２取付板部３２と、第１取付板部３１及び第２取付板部３２夫々に略直交して、第１取付板部３１の下端部及び第２取付板部３２の上端部を連結する平面視略矩形状の連結板部３３とを有する側面視変形Ｚ字状である。第１取付板部３１、連結板部３３及び第２取付板部３２は、この順に前後方向に並設してある。
【００４９】
第１取付板部３１の横方向両端部夫々には、第１取付板部３１のビス留め時に前板４１背面に対する横方向取り付け位置を調整するための長孔３１０，３１０が１個ずつ形成してある。また、横方向中央部と、長孔３１０，３１０近傍の横方向中央部側に、ビス留め用の３個のビス孔３１１，３１１，３１１が形成してある。長孔３１０，３１０及びビス孔３１１，３１１，３１１は横方向に略一直線状に並置されている。また、第２取付板部３２の横方向両端部及び中央部には、横方向に略一直線状に並置されているビス留め用の３個のビス孔３２１，３２１，３２１が形成してある。更に、連結板部３３の横方向両端部夫々には、後述する雄部２３０，２３０と嵌合する貫通孔状の雌部３３０，３３０，…が２個ずつ前後方向に並置して形成してある。
【００５０】
前板４１背面の両端部にビス留めするために、第１取付板部３１の幅は前板４１の幅に略等しく、前板４１の下端部背面と蹴込み板４２の上端部前面との間の空隙の上部を被覆するために、連結板部３３の幅と奥行き（前後方向の長さ）とは、前板４１の幅と前板４１背面から蹴込み板４２背面までの前後方向長さに略等しくしてある。また、第２取付板部３２の幅は、蹴込み板４２背面の嵌合部４２１，４２１，…を被覆しないように、蹴込み板４２の幅よりも短くしてある。
【００５１】
このような連結部材３は、前板４１と蹴込み板４２とを連結するために必要な強度を有する。また、連結部材３は、第１取付板部３１、第２取付板部３２及び連結板部３３となすべき金属平板を、連結板部３３の前端部から第１取付板部３１が立ち上がり、後端部から第２取付板部３２から垂下するように折り曲げて容易に形成される。
【００５２】
ここで、連結部材３を用いた前板４１及び蹴込み板４２の連結手順を説明する。まず、第１取付板部３１前面を、連結板部３３が前板４１下端末から適長離隔するように、前板４１の背面下端部に接触させ、次に、第１取付板部３１を、長孔３１０，３１０を通してビス６，６で、また、ビス孔３１１，３１１，３１１を通して図示しないビスで、前板４１の背面にビス留めする。このとき、横方向中央部のビス孔３１１に対応するビスの締め付け具合を調整し、前板４１に反りが生じることを抑制する。
【００５３】
次いで、連結板部３３下面に蹴込み板４２上端面を接触させ、第２取付板部３２前面に蹴込み板４２背面を接触させ、最後に、第２取付板部３２を、ビス孔３２１，３２１，３２１を通して図示しないビスで、蹴込み板４２の背面にビス留めする。
【００５４】
このようにして前板４１及び蹴込み板４２が連結された場合、連結部材３の連結板部３３は、前板４１の背面と蹴込み板４２の前面と（更に詳細には前板４１の下端部背面と蹴込み板４２の上端部前面と）の間の空隙の上部、及び蹴込み板４２の上端面を被覆する被覆板部として機能する。
【００５５】
ここで、連結部材３で連結されただけの前板４１及び蹴込み板４２は、蹴込み板４２の側端面が露出しており、また、前板４１の下端部背面と蹴込み板４２の上端部前面との間の空隙が露出しているため、連結体４０の両側部夫々サイドカバー２，２で被覆する。
【００５６】
以下、サイドカバー２の詳細を説明する。図３は、サイドカバー２の構成を示す正面側からの斜視図である。また、図４は、連結体４０に対するサイドカバー２の取り付けを説明する背面側からの拡大斜視図であり、図中右上側が手前側、左下側が奥側であって、各種ビスの図示は省略している。更に、図３及び図４には、連結体４０の正面視右端部に取り付けられるサイドカバー２を例示している。
【００５７】
サイドカバー２は、縦板部２１ａ及び横板部２１ｂを有して側面視倒立Ｌ字状をなす平板状のカバー板部２１と、縦板部２１ａ及び横板部２１ｂ夫々のＬ字の外縁から縦板部２１ａ及び横板部２１ｂ夫々に略直交してサイドカバー２の内側（裏側）へ突出する取付板部２２，２３とを備える。更にサイドカバー２は、Ｌ字の内縁から縦板部２１ａに略直交してサイドカバー２の内側へ突出するフロントカバー部２４を備える。
【００５８】
縦板部２１ａは、蹴込み板４２の厚さ及び高さに略等しい前後方向長さ及び高さを有する上下方向に細長い側面視矩形状であり、横板部２１ｂは、縦板部２１ａの前後方向長さ及び前板４１の背面から蹴込み板４２の前面までの長さに略等しい高さ及び前後方向長さを有する前後方向に細長い矩形状である。取付板部２２は、縦板部２１ａのＬ字の外縁、即ち縦板部２１ａの後端部に設けられており、取付板部２２の高さは縦板部２１ａの高さより小さく、また、内面に雄部２２０が形成されている。取付板部２３は、横板部２１ｂの外縁、更に詳細には横板部２１ｂ及び縦板部２１ａの上端部に設けられており、取付板部２３の前後方向の長さは前板４１背面から蹴込み板４２背面までの長さに略等しく、また、内面に雄部２３０，２３０が前後方向に並置して形成されている。
【００５９】
フロントカバー部２４は、縦板部２１ａのＬ字の内縁、即ち縦板部２１ａの前端部に設けられており、フロントカバー部２４の高さは縦板部２１ａ下端部から横板部２１ｂ下端部までの高さに略等しい。
【００６０】
このようなサイドカバー２は、合成樹脂（例えばポリプロピレン樹脂）を用いて一体成型してなる。ただし、連結体４０の正面視右端部に取り付けられるサイドカバー２と、正面視左端部に取り付けられるサイドカバー２とは、前板４１及び蹴込み板４２の中央部を対称軸として左右対称に設けられている。
【００６１】
ここで、前板４１及び蹴込み板４２の連結体４０にサイドカバー２，２を取り付ける手順を説明する。以下では、連結体４０の正面視右端部に取り付けられるサイドカバー２の取付手順を例示するが、正面視左端部に取り付けられるサイドカバー２の取付手順も同様である。このようなサイドカバー２は、カバー板部２１及び取付板部２２，２３が適宜の可撓性を有する。
【００６２】
前板４１及び蹴込み板４２を連結部材３で連結して連結体４０を構成した後、作業者は、サイドカバー２を連結体４０に取り付ける。まず、作業者は、縦板部２１ａを蹴込み板４２側端面の側方に、取付板部２２を蹴込み板４２背面の後方に、取付板部２３を連結板部３３上面の上方に夫々配し、次に、取付板部２２の雄部２２０を蹴込み板４２背面の雌部４２０に、取付板部２３の雄部２３０，２３０を連結板部３３の雌部３３０，３３０に夫々接近させる。最後に、フロントカバー部２４が蹴込み板４２前面に配されるようにして、カバー板部２１、び取付板部２２，２３等を一時的に外側へ撓ませ、雄部２２０を雌部４２０に、雄部２３０，２３０を雌部３３０，３３０に夫々無理嵌めすることによって、サイドカバー２を連結体４０に取り付ける。
【００６３】
この場合、取付板部２２が蹴込み板４１の背面に対して後方から覆い被さるように、また、取付板部２３が連結板部３３の上面に対して上から覆い被さるように、雄部２２０，２３０，２３０と雌部４２０，３３０，３３０とが嵌合する。このため、雄部２２０，２３０，２３０と雌部４２０，３３０，３３０との嵌合部分は取付板部２２，２３に被覆され、外側に露出しない。
【００６４】
このようにしてサイドカバー２が連結体４０に取り付けられることによって、縦板部２１ａが蹴込み板４２の側端面及び連結板部３３の側端面後部を被覆し、横板部２１ｂが、前板４１の下端部背面と蹴込み板４２の上端部前面との間の空隙の側部及び連結部材３の連結板部３３の側端面前部を被覆する。更に、取付板部２３が連結部材３の連結板部３３の上面の横方向端末側を被覆し、フロントカバー部２４が蹴込み板４２の前面の横方向端末側を被覆する。
【００６５】
サイドカバー２は合成樹脂製であり、前板４１と蹴込み板４２とを連結するために必要な強度を有していないが、サイドカバー２は前板４１と蹴込み板４２とを連結しないため、サイドカバー２又は連結体４０が破損することはない。
【００６６】
以上のようなサイドカバー２及び連結部材３によって、連結体４０、ひいては引出し４０、更にはベースキャビネット１の美観を向上させることができる。特に、本実施の形態においては、カバー板部２１が、前板４１の下端部背面と蹴込み板４２の上端部前面との間の空隙の側部、及び連結部材３の連結板部３３の側端面を被覆するため、連結体４０側部の美観を更に向上させることができる。また、取付板部２３が連結部材３の連結板部３３の上面の横方向端末側を被覆するため、連結体４０上部の美観を更に向上させることができる。更にまた、フロントカバー部２４が、蹴込み板４２の側端末と縦板部２１ａとの境界を被覆するため、蹴込み板４２前部の美観を更に向上させることができる。
【００６７】
また、サイドカバー２は、連結部材３で前板４１及び蹴込み板４２を連結させてから簡単に取り付けることができる。更に、雄部２２０，２３０，２３０と雌部４２０，３３０，３３０とは無理嵌めされるため、サイドカバー２を確実に取り付けて、連結体４０から脱離することを抑制することができる。更にまた、前板４１の材料と蹴込み板４２の材料とを同一の材料にすることができるため、ベースキャビネット１のコストを低減することができる。
【００６８】
なお、サイドカバー２は、取付板部２２，２３の一方を備える構成でもよい。また、サイドカバー２の雄部と連結体４０の雌部との配置は、本実施の形態における配置に限るものではない。更に、サイドカバー２に雌部、連結体４０に雄部が形成されていてもよい。また、サイドカバー２及び連結体４０夫々に、雄部と雌部とが両方形成されていてもよい。
【図面の簡単な説明】
【００６９】
【図１】本発明に係るベースキャビネットの構成を示す正面側からの斜視図である。
【図２】本発明に係るベースキャビネットが備える引出しの前板及び蹴込み板の連結体の構成を示す背面側からの斜視図である。
【図３】本発明に係るベースキャビネットが備えるサイドカバーの構成を示す正面側からの斜視図である。
【図４】本発明に係るベースキャビネットが備える引出しの前板及び蹴込み板の連結体に対するサイドカバーの取り付けを説明する背面側からの拡大斜視図である。
【図５】従来のベースキャビネットが備える引出しの前板及び蹴込み板の連結体の構成を示す背面側からの斜視図である。
【図６】従来のベースキャビネットが備える引出しの前板及び蹴込み板の連結体の他の構成を示す背面側からの斜視図である。
【符号の説明】
【００７０】
１      ベースキャビネット
２      サイドカバー
２１ａ  縦板部
２１ｂ  横板部
２２，２３  取付板部
２２０，２３０  雄部（嵌合部）
３      連結部材
３１    第１取付板部（取付板部）
３２    第２取付板部（取付板部）
３３    連結板部（被覆板部）
３３０，４２０  雌部
４      引出し
４１    前板
４２    蹴込み板
【図１】
2006296847.tif 000003
【図２】
2006296847.tif 000004
【図３】
2006296847.tif 000005
【図４】
2006296847.tif 000006
【図５】
2006296847.tif 000007
【図６】
2006296847.tif 000008